(57)【特許請求の範囲】
【請求項１】
ギター固定装置であって、
−  ギターの固定対象をなす面に対して取り付けるための取付部材であるとともに、前記面から垂直に突出しているアームが設けられた取付部材と、
−  前記アームに対して接続されるとともに前記ギターの背面に沿って延在する第１層状部材を有した構造部材であるとともに、前記第１層状部材を、ギターのベルトのための第１支持スタッドに対して接続するための少なくとも１つの第１接続部材を有する構造部材と、
を備え、
前記構造部材が、さらに、第２層状部材を備え、この第２層状部材が、前記第１層状部材とこの第２層状部材との間の相対位置を変え得るようにして接続手段を介して前記第１層状部材に対して接続されているとともに、第２接続手段を介して、前記第１支持スタッドとは異なるさらなる支持スタッドに対しても接続されている、ことを特徴とする、ギター固定装置。
【請求項２】
前記面への前記取付部材が、前記アームのうちの、前記第１層状部材に接続する側の端部に玉継手を有することを特徴とする請求項１に記載の装置。
【請求項３】
前記面が、台座とされていることを特徴とする請求項１または２に記載の装置。
【請求項４】
前記取付部材は、壁に接続するための開口部およびボルトを有する板を有することを特徴とする請求項１または２に記載の装置。
【請求項５】
前記玉継手に対して回転することができ、かつ前記構造部材が結合する中間接続部材が、前記構造部材および前記玉継手の間に位置することを特徴とする請求項２記載の装置。
【請求項６】
前記玉継手および前記構造部材の間の回転角度を調整するために、前記中間接続部材がホイールを有することを特徴とする請求項５に記載の装置。
【請求項７】
発泡材料が前記第１層状部材および前記ギターの前記背面の間に配置されることを特徴とする請求項１〜６のいずれか１項にに記載の装置。
【請求項８】
前記相対位置を変えることができる前記接続手段が、前記第１層状部材と前記第２層状部材との一方に少なくとも１つの細長い開口部と、前記細長い開口部に対応し、かつ前記第１層状部材と前記第２層状部材との他方に配置された１組のより小さい開口部と、前記細長い開口部および前記対応するより小さい開口部の１つを貫通することができる少なくとも１つのピンとを備えることを特徴とする請求項１〜７のいずれか１項にに記載の装置。
【請求項９】
前記第１層状部材が、前記取付部材を異なる相対位置において前記構造部材に接合できるようにする１組のオリフィスを備えることを特徴とする請求項１〜８のいずれか一項に記載の装置。
【請求項１０】
前記第１層状部材が板であり、この板の外形が、支持されるべき前記ギターの外形に整合することを特徴とする請求項１〜９のいずれか一項に記載の装置。
【請求項１１】
前記第１接続部材が、前記第１層状部材に接続された層状ブラケットであり、
この層状ブラケットが、ギターのベルトのための支持スタッドに接続するためのものであることを特徴とする請求項１〜１０のいずれか一項に記載の装置。
【請求項１２】
前記層状ブラケットおよび前記第１層状部材は、前記層状ブラケットに配置された第２の細長い開口部と、前記第１層状部材に配置されるとともに前記第２の細長い開口部に対応する少なくとも１つの第２の開口部と、それら両開口部を貫通するピンとによって接続されていることを特徴とする請求項１１に記載の装置。
【請求項１３】
前記第１層状部材が前記層状ブラケットとの接続点を変えるために互いに近接した複数のさらなる開口部を備えることを特徴とする請求項１２に記載の装置。
【請求項１４】
前記層状ブラケットがひしゃく形を有し、この層状ブラケットの先端の一方がギターのベルトのための支持スタッドを受け入れることによって接続することを特徴とする請求項１１〜１３のいずれか一項に記載の装置。
【請求項１５】
前記層状ブラケットがギターのベルトのための支持スタッドを受け入れることによって接続するための凹所をさらに備えることを特徴とする請求項１１〜１３のいずれか一項に記載の装置。
【請求項１６】
前記支持スタッドおよび前記層状ブラケットが中間層状部材によって共に結合され、該中間層状部材は、前記支持スタッドを受け入れる開口部と、ピンがそれらを貫通するように配置された前記層状ブラケットの開口部に対応する細長い開口部とを有していることを特徴とする請求項１１〜１４のいずれか一項に記載の装置。
【請求項１７】
前記さらなる支持スタッドが、前記ギターの肩部の１つに位置するギターのベルトのための支持スタッドとされ、
前記第２接続手段が、前記さらなる支持スタッドとの接続のための第２接続部材とされていることを特徴とする請求項１〜１６のいずれか一項に記載の装置。
【請求項１８】
前記ギターのベルトのための前記第１支持スタッドへの前記第１接続部材が、フックを有した層状ブラケットとされ、この層状ブラケットの少なくとも一方の端部が、前記ギターの前記第１支持スタッドを受領し得るよう構成されていることを特徴とする請求項１または１１に記載の装置。
【請求項１９】
前記ギターのベルトのための前記第１支持スタッドへの前記第１接続部材が、湾曲板を有した層状ブラケットとされ、この層状ブラケットの少なくとも一方の端部が、前記ギターの前記第１支持スタッドを受領し得る受領部材として構成されていることを特徴とする請求項１または１１に記載の装置。
【発明の詳細な説明】
【技術分野】
【０００１】
本発明は、例えば壁に取り付けるための、または台座に固定するためのギター固定装置に関連する。
【背景技術】
【０００２】
ギターは、コレクターアイテムとなってきている。したがってギターの展示ユニットの需要がある。しかし、既知のタイプの展示ユニットは、ギターを囲むものであり、その結果、それらは非常にかさばり、かつギターの三次元性を鑑賞することは困難となり、および／またはユニットが見えるために、ギターの審美性に影響を及ぼす。
【発明の概要】
【発明が解決しようとする課題】
【０００３】
本発明は、ギターの展示装置を提供することにより、この市場のニーズへの解決策を提供し、これにより、ギターは面、理想的には壁に固定可能であり、かつ展示装置は一目では見えず、ギターを傷つけることなくギターを空間につるす、または面にネジ留めするという効果を提供する。
【課題を解決するための手段】
【０００４】
特に、本発明は、ギター固定装置を備え、ギター固定装置が、
−  面に取り付けるためのアームが設けられた取付部材と、
−  アームに接続された構造部材であって、構造部材はギターの後部に沿って通り、この構造部材は、少なくともギターのベルトのための第１支持スタッドへの第１接続部材、および／またはギターのネックへの接続部材を有する、構造部材と、
を備えることを特徴としている。
【０００５】
ギターの後部に位置する構造により、視覚への影響を最小限にしながら固定することができる
【０００６】
好ましくは、構造部材は、ギターの背面に位置する層状部材を備える。見えないようにするために、層状部材は、板状とすることができ、その外形は固定されるギターに整合する。
【０００７】
より好ましくは、壁への取付部材は、アームの端部に玉継手を有し、これは、装置が固定される面（例えば壁）に非平行にギターを配置することができることを意味し、ギターの三次元性をより提供することができる。
【０００８】
再度好ましくは、固定部材は、台座に接続される。
【０００９】
あるいは、固定部材は、壁に連結するための開口部およびボルトを有する板を備えることができる。
【００１０】
より好ましくは、玉継手に対して回転することができ、かつ構造部材が結合する中間接続部材が、構造部材および玉継手の間に位置している。
【００１１】
好ましくは、中間部材は、玉継手および構造部材の間の回転角度を調整するホイールを有する。
【００１２】
ギターを保護するために層状部材およびギターの背面の間に発泡材料を配置することができる。
【００１３】
同様に、本発明は、異なる形および大きさのギターのために装置を調整するよう使用することができる調節の異なる手段を提供する。
【００１４】
このため、構造部材は好ましくは、２つの部材の間の相対的な位置を変更することができる第１貫通手段に接続された第２層状部材を備える。
【００１５】
さらにより好ましくは、これらの手段は、層状部材のうちの１つに少なくとも１つの細長い開口部と、細長い開口部に対応し、かつ前述の細長い開口部を含まない層状部材に位置する１組のより小さい開口部と、細長い開口部および対応するより小さい開口部の１つを貫通することができる少なくとも１つのピンと、を備える。
【００１６】
さらにより好ましくは、層状部材は、１組のオリフィスを備え、それにより、取付部材は、異なる相対位置において壁および構造部材に結合することができる。
【００１７】
好都合に、第１接続部材は、ギターのベルトのための支持スタッドに接続するための、構造部材に接続された層状ブラケットである。
【００１８】
より好都合には、層状ブラケットおよび構造部材は、層状ブラケットまたは構造部材に配置された開口部、対応する細長い開口部および両開口部を貫通可能なピンによって共に接続されている。
【００１９】
さらなるより好都合な方法において、構造部材は、互いに近い１組の開口部を備え、層状ブラケットへの接続点を変えることができる。
【００２０】
またさらなるより好都合な方法においては、スタッドおよび層状ブラケットは、中間層状部材によって結合され、中間層状部材は、スタッドを受け入れる開口部および１つのピンが通過するよう配置された層状ブラケットのより小さい開口部に対応する細長い開口部を有する。
【００２１】
層状ブラケットは、ギターのベルトのための支持スタッドを受け入れるための凹所を備えることができる。
【００２２】
本発明はまた、ギターのネックを支持するＵ字状部材を好ましく提供する。
【００２３】
より好ましくは、Ｕ字状部材は、Ｕ字がギターの弦があるネックの側面を大きく遮らないように、ネックの背面および側面を囲むように、構造部材に取り付けられている。
【００２４】
あるいは、ネックへの接続部材を有し、それはネックの裏との接触面と、ギターの弦が上を通るネックの一部に接触する屈曲状部材とを備える。
【００２５】
好ましくは、ギターのネックの反対部分に位置するギターのベルトのための支持スタッドと接続するように配置されたギターのベルトのための支持スタッドへの接続部材を有する。
【００２６】
さらにより好ましくは、ギターの肩部の１つに位置するギターのベルトのための支持スタッドへの接続を形成するように位置するギターのベルトのための支持スタッドへの接続部材をさらに備える。
【００２７】
本発明はまた、ギターへの接続部材の異なる好ましい配置を提供し、それはアコースティックギター、エレキギターまたは一般的なギターなどの異なるタイプのギターに好ましく適用される。
【００２８】
したがって、ネックへの接続部材およびギターのベルトのための支持スタッドへの接続部材を備える。
【００２９】
好ましくは、ネックへの２つの接続部材を備える。
【００３０】
あるいは、本発明は、ギターネックへの接続部材なし、またはギターのベルトのための支持スタッドへの接続部材なしも可能である。
【００３１】
本発明のより良い理解のために、例に限定されることない説明のために、本発明の実施形態の図面が添付されている。
【図面の簡単な説明】
【００３２】
【図１】本発明による装置の第１実施形態の異なる部品の分解組立図を伴うエレキギターの斜視図である。
【図２】第１実施形態を図示されたギターの特定の寸法に調整する工程を示す斜視図である。
【図３】エレキギターに既に取り付けられた第１実施形態の斜視図である。
【図４】ギター肩部に位置する支持スタッド近くにおける装置およびギター間の接続の詳細が良く見える斜視図である。
【図５】第１実施形態の面への位置決め可能性を示す概略図である。
【図６】本発明による装置の第２実施形態の異なる部品の分解組立図を伴うアコースティックギターの斜視図を示す。
【図７】アコースティックギターに既に取り付けられた第２実施形態の斜視図である。
【図８】アコースティックギターに既に取り付けられた第２実施形態の別の観点から見た別の斜視図である。
【図９】ギターのネック近くにおける第２実施形態の装置およびギター間の接続の詳細が良く見える斜視図である。
【図１０】第２実施形態を図示されたギターの特定の寸法に調整する工程を示す斜視図である。
【図１１】第２実施形態の面への位置決め可能性が見える概略図である。
【図１２】本発明による装置の第３実施形態の異なる部品の分解組立図を伴う標準のギターの斜視図を示す。
【図１３】本発明による装置の第４実施形態の分解組立図を伴う別のギターの斜視図を示す。
【図１４】本発明による装置の第５実施形態の分解組立図を伴う別のアコースティックギターの斜視図を示す。
【図１５】図１３および図１４の実施形態において用いられる玉継手の分解された部品の斜視図を示す。
【図１６】外形が異なるギターの外形に整合し、オリフィスの異なる分布を有する層状部材または板の異なる実施形態を示す。
【図１７】外形が異なるギターの外形に整合し、オリフィスの異なる分布を有する層状部材または板の異なる実施形態を示す。
【図１８】外形が異なるギターの外形に整合し、オリフィスの異なる分布を有する層状部材または板の異なる実施形態を示す。
【図１９】構造部材をギターのスタッドに固定するために使用することができるクランプ部材の斜視図を示す
【図２０】スタッドへの連結のためのフックを有する、層状部材をギターのスタッドに結合する層状ブラケットの実施形態の例の斜視図を示す。
【図２１】スタッドへの連結のためのブラケットの実施形態の別の例の別の斜視図を示す。
【図２２】調整可能に配置されたクランプシステムを介してギターのネックに連結するための装置の斜視図を示す。
【図２３】ギターのスタッドに取り付けられる層状ブラケットのさらなる実施形態の斜視図を示す。
【図２４】図１３に類似しているが、装置が水平面上に支持された台座に取り付けられる点が異なっている本発明による装置の第６実施形態の斜視図を示す。
【発明を実施するための形態】
【００３３】
図１〜図５は、本発明による装置１の第１実施形態およびエレキギター１００への利用を示す。
【００３４】
図１〜図５においてギター１００を吊るすための装置１は、壁への接続部材２１，２１’，２１”を有する穴が開けられた壁用円板２を備える。玉継手３に接続するアーム２３は、円板から垂直に突出している。図示された玉継手は、市販のタイプの玉継手とすることができ、面に接続されることができるハウジング内の球形部材３１および力による玉継手の位置の調整を備える。球形部材３１は、アーム２３に直接取り付けられる。
【００３５】
玉継手のハウジングの面への接合面は、ねじ部材またはピンによって板４を備える構造部材に接続される。板４は、異なる部品に異なる位置でこれを接続することができる多数の開口部を備え、これにより、異なるギターを吊るすために同じ装置を使用することができる。図に明らかなように、板４は、ギター１００の後部に沿って延在している。
【００３６】
したがって、中央位置において、板は異なるオリフィス４３，４３’を有しており、玉継手３を板４に取り付ける接続点を調整することが可能となる。
【００３７】
ギターを損傷から保護するために、発泡材料４９が板４およびギター１００の間に配置される。この発泡材料は、例えばPlastazoteの商品名で市販されている材料とすることができる。
【００３８】
ギターのネックと逆の先端に対応する部分において、板は、１組のオリフィス４８，４８’を有し、その点に位置するギターのベルトのための支持スタッド１０１への接続部材の取付点を調整することができる。
【００３９】
図示された例のスタッド１０１への接続部材は、シート状金属から作られたブラケット５を備え、ブラケットは、細長い開口部５１および板４のオリフィス４８，４８’の１つに接続するためのピン５８を有する。この細長い開口部５１により、板４の端部およびスタッド１０１間の距離を調整することが可能となり、ギターの寸法およびギター１００に対して装置１が配置される点に応じて変化することができる。閉じた円形オリフィス５２および凹所または開口した細長い開口部５３が、ブラケット５の他方のリムに配置される。凹所または開口した細長い開口部５３は、ギター１００のスタッド１０１が横方向に入ることができるように設計されている。閉じた円形オリフィス５２は、他の細長い開口部５５と共に作用し、細長い開口部５５は、ギター１００のスタッド１０１を受け入れる閉じた円形オリフィス５６を備える中間板５４に属している。閉じたオリフィスおよび細長い開口部のこのセットにより、ギターの高さを調整することができる。
【００４０】
ネックにより近い部分に関して、板４は、第２板６に接続され、その目的は、共鳴胴の長さおよびスタッドの相対位置に関して異なる形状のギターに取り付けられるようにすることである。
【００４１】
この第２板６は、２つの細長い開口部６４，６４’を有し、該開口部は、スライドとして作用し、かつ主板４のオリフィス４６，４６’に対応するように結合される。細長い開口部により、異なる相対位置における２つの板４，６をピン６１を用いて共に結合することができる。第２板は、より特定の形状を有し、スタッド１０２を有するギターの肩部に向かって延在するアームを有する。アーム６の端部およびギター肩部のスタッド１０２間の接続は、他のスタッドに用いられるものに類似の手段によってなされる。
【００４２】
特にこの場合、オリフィス６７が板６のアームの端部に配置され、これを通ってピン７３が、細長い開口部７６を有するブラケット７と接続する。ブラケットの他方のリムに中間板７５に接続するための閉じた円形オリフィス７２がある。ブラケット７はまた、スタッド１０２を受け入れる凹所７４を有する。中間板７５は、ピン７４を介してブラケット７に接続するための細長い開口部７７およびスタッド１０２を受け入れる閉じた円形オリフィス７８ａを有する。中間板７５は、接続するためスタッド１０２が凹所７４から滑り落ちるのを防ぐための固定部材として作用する。
【００４３】
図２および図５に明らかなように、一旦装置１がギター１００に取り付けられると、玉継手３によってギター１００の空間配置を調整することが可能である（面３００に対する回転、傾斜）。
【００４４】
図６〜図１１は、本発明の第２実施形態を示す。第２実施形態は、ギター２００のネック２０２と逆の点に位置するスタッド２０１およびネック２０２に位置する別の点の両方によって支持されるべき（技術的または芸術的な理由により）であるギター２００、例えば、特定のアコースティックギター等を対象としている。
【００４５】
第２実施形態の固定装置は、第１実施形態として示されたものと類似しているため、全く同一のまたは類似の部品は、同じ参照符号によって参照されており、詳細には説明しない。以下の説明は、したがって第２および第１実施形態で異なる要素が中心である。
【００４６】
第２実施形態において、主板４が玉継手３に対して回転することを可能とするホイール３１を有する中間部材３２が玉継手３および主板４間に取り付けられている。構造部材の第２板６は、異なる形状をしており、その目的は、ネック２０３への接続および主板４の間の接続部として機能することである。図示されたこの第２実施形態のネック２０３への接続部材は、ピン８１および細長い／円形の開口アセンブリを介して第２板６のアーム端部へ結合するブラケット８を備え、該ブラケットは、ネックのギターの弦がある側を大きく遮らないようにネックの背面および側面を越えて延在するＵ字状部材８２に接続されている。
【００４７】
図１２は、特に支持スタッドがない標準のギターに適した本発明の第３実施形態を示す。
【００４８】
第３実施形態の固定装置は、第１および第２実施形態に示したものと類似しているため、全く同一のまたは類似の部材は、同じ符号によって特定される。これらの部材もまた詳細に説明しない。したがって以下の説明は第２および第１実施形態とは異なる部材に集中する。
【００４９】
第３実施形態においては、装置は、支持スタッドに接続されていないことが理解できるだろう。第１および第２実施形態と比較すると、主板４および第２板６が結合して、それらのあいだにピンを必要とせずに単一の部品を共に形成していることがわかるだろう。一方、第２板６のアームは、ネック２０３への２つの接続部材を有する。それは、特にギター２００をしっかり吊るすネック上の２点を介する接続である。この場合、接続部材は、第２板６のアームを介して構造部材に取り付けられる屈曲形状部材８２，８２’を備え、その目的は、弦が通るネック２０３の一部に接触することである。接触部分において、各屈曲部材８２，８２’は、エラストマーのスリーブ８９によって覆われている。接続部材はまた、ネック２０３の反対の面に接触するための面８４，８４’を備える。ギター２００の損傷を予防するために、発泡材料８５’の層がこれらの面８４，８４’の間に配置される。
【００５０】
図１３および図１４は、本発明による装置の２つのさらなる実施形態を示す。これらの図において、前述の実施形態において示されたものと全く同一のまたは類似の部材は同じ参照符号によって特定される。
【００５１】
図１３における実施形態に関して、これは、図１のものに非常に似ており、第１実施形態と比較した場合の主な変化は、層状部材（特に第１板４）を下部ゾーンの支持スタッドに、および層状部材（特に第２板６）をギター１００の肩部に位置する支持スタッドにそれぞれ接続するブラケット５，７であり、これは、図２０および図２３をそれぞれ参照して以下に記載される。
【００５２】
図１４における実施形態に関して、これは、図６のものに類似しており、主な相違点は、図１５を参照して以下に説明される玉継手３と、図１９，図２０，図２１または図２３のいずれかに図示されるスタッドに接続するブラケット５と、図２２を参照して説明されるネックに接続するための装置とである。
【００５３】
図１５は、図１〜図１２に図示されるものと異なる壁への接続部材の代替実施形態を示す。図において、壁に接続する円板２と、球形部材３１および玉継手３を壁用円板２に結合するアーム２３を内部に有する玉継手部材３とが見える。アセンブリは、穴の開いた円板３３または層状部材（特に板４）に接続するための内部ハウジングおよび環状シールによって完成し、該環状シールは、球形部材３１および内部ハウジング３３間の良好な可動連結を提供し、かつ支持されているギター重量による力で玉継手が自由に回転することを防ぐ。このアセンブリは、自由回転移動を可能にし、ギターは所望のとおり傾斜することができる。玉継手の位置は、グラブネジ２３１を締め付けることによって固定される。
【００５４】
図１６，図１７および図１８は、本発明による装置の層状部材を形成している板４または主板の３つの実施形態を示す。明らかなように、ギターのスタッドの位置によるオリフィス４３，４６，４６’，４５の位置のように、板４の外形は、異なるタイプのギターの外形に整合する。図１７および図１８の実施形態において、細長い開口部４６１により、異なる肩部形状を有するがギター本体の形を基本的に共有するギターに調整することができる。オリフィスまたは穴４３，４５，４６，４６’は、ねじ付きとすることができる。
【００５５】
図１９は、例えばスタッドに接続するためのブラケットに、または状況に応じて層状部材を形成する板４，６の１つに直接接続することができるスタッド接続のための装置を示す。この部材１７は、ノブ５７１によって締め付けることができる２つのクランプアーム５７２，５７３を有する。
【００５６】
図２０は、スタッドに接続するための層状ブラケット５の代替実施形態を示す。ブラケット５は、層状部材に接続するための細長い開口部５１と、通常ギター肩部に位置する上部スタッドであるギターのスタッドに接続するためのフック５９２とを有する。
【００５７】
図２１は、ブラケット５の他の実施形態を示す。
【００５８】
この場合、スタッドへの接続は、ねじ接続５５によってブラケットに取り付けられる湾曲板５７，５９１を介してなされる。
【００５９】
図２２は、特にアコースティックギター（ギター肩部のスタッドがないことが多い）に適用できるネックへの接続部材の代替実施形態を示す。この実施形態は、クランプの形の一対の部材７１２，７１３を組み込み、アレンタイプの工具によって操作可能な細長い開口部７１４およびネジ７１５システムを介して装置本体に調整可能に取り付けることができる。機構は、例えばステンレス鋼の棒６１０に沿って滑ることができ、それは、装置の貫通孔７１６を通って滑る。装置は、装置本体および棒６１０の相対位置を固定するための制御部７１１を有する。装置はまた、ギターのネックを受け入れるクッションを備える。
【００６０】
図２３は、ギターの下部スタッドとの接続に特に適用する層状ブラケット５の実施形態を示す。このブラケット５は、ギターの下部スタッドを収容するひしゃく形状部材５１０を組み込み、容易に取り付けることができる。
【００６１】
図２４は、本発明による装置が地面から垂直に立った台座３０１にギター１００を支持している図１３と類似した実施形態を示す。
【００６２】
本発明は、金属、プラスチック、木材等の異なる材料を用いて構成することができる。例えば、金属部材は、３０４ステンレス鋼板および／または薄鋼板から作られることができる。例えば、部品、玉継手のハウジング、玉継手を支持する基部、玉継手およびギターのための固定ホイールは、３０４によって作られることができ、任意のタイプのステンレス鋼のピン（選択によりピンまたはねじとすることができる）、壁への接続円板は、塗装薄鋼板から作られることができる。好ましくは、板は、３〜２ｍｍの厚さを、壁用円板は、４ｍｍの厚さを有することができる。鋼鉄およびギター間の接触部を保護するために使用される発泡材料は、厚さ３０ｍｍの４５ＰＰＩフィルタリング材料とすることができ、かつ例えば，両面接着によって板に固定されることができる。
【符号の説明】
【００６３】
１  装置
２  円板
３  玉継手
４  板
５  ブラケット
６  第２板
７  ブラケット
８  ブラケット
２１  接続部材
２３  アーム
３１  球形部材
３２  中間部材
３３  円板
１００，２００  ギター
１０１，１０２  スタッド
２０３  ネック
【図１】
0005893043.tif 000002
【図２】
0005893043.tif 000003
【図３】
0005893043.tif 000004
【図４】
0005893043.tif 000005
【図５】
0005893043.tif 000006
【図６】
0005893043.tif 000007
【図７】
0005893043.tif 000008
【図８】
0005893043.tif 000009
【図９】
0005893043.tif 000010
【図１０】
0005893043.tif 000011
【図１１】
0005893043.tif 000012
【図１２】
0005893043.tif 000013
【図１３】
0005893043.tif 000014
【図１４】
0005893043.tif 000015
【図１５】
0005893043.tif 000016
【図１６】
0005893043.tif 000017
【図１７】
0005893043.tif 000018
【図１８】
0005893043.tif 000019
【図１９】
0005893043.tif 000020
【図２０】
0005893043.tif 000021
【図２１】
0005893043.tif 000022
【図２２】
0005893043.tif 000023
【図２３】
0005893043.tif 000024
【図２４】
0005893043.tif 000025